(57)【要約】海洋生物を養殖する船は、海水と養殖される前記海洋生物を有する複数のタンクを有する。前記タンクは、前記海洋生物を保持する養殖用網かごを備え、前記タンクは周囲の海水に対して開かれている。
2021524754.tif 000002
【特許請求の範囲】
【請求項１】
海洋生物を養殖する船であって、海水と養殖される前記海洋生物を有する複数のタンクを備え、
前記タンクは周囲の海水に対して底部で開いており、
前記タンクの各々は、前記海洋生物を保持する養殖用網かごを備え、
前記養殖用網かごの各々は、前記海洋生物を保持する網と、該網に対して外部に設けられるキャンバスを備え、
前記タンクは、前記養殖用網あごへ海水を供する水流入口を備えるか又は接続され、
前記タンクは、前記養殖用網かごへ海水を流出させる水流出口を備えるか又は接続される、
船。
【請求項２】
請求項１に記載の船であって、
前記タンクは、該タンクの各々が当該船の外部の前記海水のレベルに対応するレベルにまで満たされるように配置される際に周囲の海水を貫流させるように底部に開口海水開口部を備える、船。
【請求項３】
前記タンクは、チャネル又はタンク壁を介して延びる通路を介して相互に接続される、請求項１に記載の船。
【請求項４】
前記タンクは、前記養殖用網かご内に水面を覆うように伸張する歩道を有する、請求項１に記載の船。
【請求項５】
前記歩道は、当該船のデッキの下に設けられ、前記タンクのそれぞれの間で延びる前記チャネルを介して互いに接続される、請求項３又は４に記載の船。
【請求項６】
前記歩道の下に、当該養殖用網かごの懸架点として機能する固定用カラーが設けられる、請求項４に記載の船。
【請求項７】
当該養殖用網かごの各々は、底部領域の廃棄物用設備に接続される廃棄物分離部を備える、請求項１に記載の船。
【請求項８】
前記水流出ラインの流出口は、前記水流入ラインの流入口よりも深いレベルで前記海水内に設けられる、請求項１に記載の船。
【請求項９】
当該養殖用網かごの各々は、該養殖用網かごの各々内の水を回転運動させる１つ以上の配水部を備える、請求項１に記載の船。
【請求項１０】
当該養殖用網かごの各々内の網は透水性の網である、請求項１に記載の船。
【請求項１１】
当該養殖用網かごの各々内のキャンバスは防水性キャンバスである、請求項１に記載の船。
【発明の詳細な説明】
【技術分野】
【０００１】
本発明は海洋生物を養殖する船に関する。当該船は、海水を有する複数のタンクと養殖される前記海洋生物を備える。前記タンクは周囲の海水へ向けて底部が開いている。
【背景技術】
【０００２】
特許文献１は、変換されたタンカーとバルクキャリアでの養殖環境の準備に関し、その魚貝の養殖への応用にも関する。特許文献１では、大洋から物理的に隔離されることで不利益―たとえば逃げ出し、鮭の寄生虫や病気―が問題にならないような閉じた設置環境が記載されている。
【０００３】
特許文献２は、海洋生物を保持する多数の閉じていて水で満たされたタンクを備える基本となる再装備されたタンカーにおける対応の浮体式生産貯蔵積出設備と、そのポンプとパプラインに関する。各タンクは、周囲の海から運ばれる循環水用の水流入口と水流出口を備える。それに加えて特許文献３〜８も文献として参照する。
【先行技術文献】
【特許文献】
【０００４】
【特許文献１】ノルウェー特許出願公開第20100465号公報
【特許文献２】ノルウェー特許出願公開第20120852号公報
【特許文献３】ノルウェー特許第861157 A号公報
【特許文献４】中国特許第101933484 B号公報
【特許文献５】中国実用新案第203186551号公報
【特許文献６】中国実用新案第202385621号公報
【特許文献７】中国実用新案第2114290号公報
【特許文献８】中国特許第106945791A号公報
【発明の概要】
【発明が解決しようとする課題】
【０００５】
本発明の目的は、１つ以上の養殖網かごが内部に設けられ、かつ、あるレベルまで自然に充填するために底部に開口部が設けられたタンカー又は同様な船を供することである。
【０００６】
主として、船のバラストを行うことで、前記養殖網かご内の水の持ち上げ高さを低くするときに、前記タンクは船外部のレベルに対応するレベルまで充填可能である。これによりエネルギーが節約される。互いに接続される船上の各タンク内の水面にわたって流路を有することによって、当該養殖網かごの単純な操作と設置が実現する。これによる利点は、魚の運動の良好な後方支援、分類、及び良好な給餌後方支援が得られることである。操作中、タンクのハッチは閉じることが可能で、給餌は継続可能で、魚にストレスを与える恐れのある鳥からの攻撃は起こらない。魚が畜殺前に性的に成熟しないように光照射が実行されてもよい。
【課題を解決するための手段】
【０００７】
上述の目的は海洋生物を養殖する船によって実現される。当該船は、海水と養殖されるべき前記海洋生物を含む複数のタンクを備える。前記タンクは、底部で周囲の海水に対して開かれている。それぞれのタンクは、海洋生物を保持する養殖網かごを備える。前記養殖網かごは、前記海洋生物を保持する網と、該網に対して外部に位置するキャンバスを備える。前記タンクは、前記養殖網かごへ海水を供給する水流入ラインを備えるか、あるいは、前記水流入ラインに接続する。前記タンクは、前記養殖網かごから海水を流出させる水流出ラインを備えるか、あるいは、前記水流出ラインに接続する。
【０００８】
当該船の底部に設けられた前記タンクは、前記周囲の海水を環流させるため、前記海水に対する開口部を備えることが好ましい。各タンクは、最大で当該船の外部の前記海水のレベルに相当するレベルまで充填されるように配備されるためである。
【０００９】
前記タンクは、前記タンクの壁を貫通するチャネル又は流路を介して相互に接続されてよい。
【００１０】
前記タンクは、当該養殖網かご内の水面にわたって延びる流路を備えることが好ましい。
【００１１】
前記流路は、当該船の下に設けられ、かつ、それぞれのタンク間で延びる前記チャネルを介して互いに接続されてよい。
【００１２】
固定用カラーはそれぞれの流路の下に設けられてよい。前記固定用カラー養殖用網かご用の懸架装置として機能する。
【００１３】
それぞれの養殖網かごは、底部領域に廃棄物分離装置を備えてよい。前記廃棄物分離装置は、当該船上の廃棄物用設備に接続される。
【００１４】
前記水流出ラインの流出口は好適には、前記海水内で前記水流入ラインの流入口よりも深いレベルに設けられている。さらにそれぞれの養殖網かごは、各かご中の前記水で回転運動を起こすように配備された１つ以上の配水部を備えてよい。
【００１５】
それぞれの養殖網かご内の前記網は透水性の網であってよい。同様にそれぞれの養殖網かご内の前記キャンバスは、防水性キャンバス又はキャンバスバッグであってよい。
【図面の簡単な説明】
【００１６】
本発明の好適実施形態を、添付図面を参照しながらより以降で詳細に説明する。
【図１】養殖網かごを有する複数のタンクを備える本発明による船の図２の線ＡＡ‘線に沿った断面を示している。
【図２】外側上方から見た本発明による船を示している。
【図３】養殖網かごと同じレベルで上から見た本発明による船を示している。
【図４】本発明による船の縦方向断面を空のタンクと共に示している。
【図５】本発明による船の縦方向断面を、養殖用網かごが取り付けられたタンクと共に示している。
【図６】本発明による船の縦方向における切断面を、２つの養殖用網かごが取り付けられたタンクと共に示している。
【図７】図６に示された養殖用網かごを上から見た図を示している。
【図８】タンク内の養殖用網かごの懸架部を示している。
【発明を実施するための形態】
【００１７】
本発明は、海洋生物―たとえば魚―を養殖するそれぞれの養殖用網かご１０で満たされた複数のタンク３８を備える再装備された船５２に関する。タンク３８と船５２の尾部は、スモルト養殖用の１つ以上の孵化用タンク４０を有してよい。孵化用タンク４０淡水化部から新鮮な水を得る。そのような淡水化部は、とりわけ塩水から飲料水を作るために大きな船では一般的である。船５２の前方部には、魚の処理と包装を行う施設を備えるタンク又は部屋４２又は４４が存在してよい。よって本発明による船５２は、スモルトからの完全な生産ラインを提供することができる。それにより完了した魚産物の複数の段階での養殖、屠殺、及び包装が実現される。
【００１８】
さらに船５２は、この種のタンカーとして装備されるので、より詳細には説明しない。船５２はバラストタンク２０を備える。さらに船５２は、風の中でも安定していられるようにアンカー線５４で固定されてよい。
【００１９】
本発明の本質的な部分は、船５２のタンク３８が周囲の海水６２に対して開かれていることである。従ってタンク３８には、海水開口部３６が設けられている。それにより周囲の海水６２は、各タンク３８の底部内の海水開口部３６を介して「自由に」流入出できる。海水開口部３６は、タンク３８の水流入口及び水流出口として機能する。
【００２０】
海水開口部３６は、たとえば図５と図６に示されているように錐体の断面を有してよい。その際海水開口部の形状は、養殖用網かご１０の下部錐体部に略対応する。あるいはその代わりに船５２の再フィッティングを減らすため、海水開口部は図４に示されたように形成されてもよい。
【００２１】
好適には各タンク３８には、養殖用網かご１０の周囲を及び／又は養殖用網かご１０を横断するように延びる歩道１８が設けられている。歩道１８及び固定カラー４８は、それぞれのタンク３８内において内部で固定される。階段２２は、歩道１８から船５２のデッキ５６まで延びてよい。さらにタンク壁３８ａはチャネル７０である開口部を有してよい。チャネル７０である開口部によって歩道１８は、連続する歩道又は船５２の全体を通り抜けて孵化用タンク４０から処理部４２及び包装部４４まですぐにつながる進入路を構成する。
【００２２】
養殖用網かご１０は、図４で示されているように空のタンク３８内に挿入及び載置され、図８に示されているように、固定カラー４８内の歩道１８の下で、場合によってはタンク壁３８ａ上の固定部２６に懸架されてよい。キャンバス又はキャンバスバッグ１４及び網１２用の固定用カラー４８は通常二段階である。これは可能な限りタンク２８内の領域を利用するためである。従って網１２及びキャンバス１４は、図７で表されているように上部の略長方形で懸架されてよい。
【００２３】
タンク３８は、図１で示されているようにそれぞれ異なる寸法を有し、１つ以上の養殖用網かご１０を備えてよい。同様にそれぞれのタンク３８又は養殖用網かご１０は、ハッチ５０の助けを借りることによって閉じられてよい。より詳細には、外部に存在するキャンバス１４又はキャンバスバッグがタンク壁３８ａ上の固定点２６に載置される間に、養殖用網かご１０として、歩道１８の下で懸架される透水性網１２を用いることができる。網１２は養殖される魚を保持する。その一方でキャンバス１４は、周辺の海水６２が網１２内部の水と混合するのを防止している。しかし適切な場合には、１つのキャンバス１４のみ異なるタンク３８内に用いられている一方、一のタンク３８内に１つの網１２のみを用いることが可能である。
【００２４】
各タンク３８は１つ以上の養殖用網かご１０を備える。図示された例では、１つ又は２つの養殖用網かご１０が各タンク３８内に用いられる。
【００２５】
各タンク３８の底部内に海水開口部３６を有することによって、タンク３８内の水面３４は、船５２の外部の海水６４の水位に保持され得る。タンク３８内部の水位は、バラストタンク２０に対してバラスト水を出し入れすることによって船を安定させることによって設定され得る。このようにして、船５２は、タンク３８内部の水面３４が最大でキャンバス１４の上端まで満たされる水位に設定されるので、キャンバス１４は、たとえば図８に示されているように、キャンバスバッグを「伸張」させるようにほんの数ｃｍ高くなる。
【００２６】
その結果、海水は実際、養殖用網かご１０内部で持ち上げられる必要はないので、主として海水を循環させればよい。
【００２７】
さらに各タンク３８又は養殖用網かご１０には、養殖用網かご１０内の水を循環させるそれぞれの配水部４６に接続される１つ以上の水流入ライン１６が設けられてよい。配水部４６の流出ノズルには、養殖用網かご１０内の水が渦を巻きながら流れるように設定できるように水の流れを制御する可撓性湾曲部が設けられてよい。図７は、各養殖用網かご１０内で互いに対向して設けられる２つの配水部４６を示している。当然のこととして２以外の個数―たとえば各「隅」に１個―の配水部が用いられてもよい。水流入ライン１６から養殖用網かご１０へ集められる水は好適には、寄生虫の存在しない深さ、かつ、周囲の海水６２からタンク３８へ入り込む水とは異なる深さにされ得る。
【００２８】
養殖用網かご１０内での循環に寄与するため、各タンク３８又は養殖用網かご１０は、水が外へ運ばれる水流出口３０を備える。水流出ライン３０の水流出口は好適には、「サイフォン」効果が得られるように水流入ラインの流入口１６よりも低い位置に設けられる。水流出ライン３０と水流出口は、それぞれのロープ６８等で懸架されてよい。
【００２９】
水流入ライン１６と水流出ライン３０のいずれも、ラインの端部にそれぞれの水フィルタ１６ａ，３０ａを備えてよい。特に水流入ライン１６上のそのようなフィルタ１６ａは、意図しない粒子又は生物―たとえば海水層中のクラゲ、寄生虫、アメーバ、及び有毒藻類―の流入を防止する。フィルタ１６ａは図５に示されているように、水中に沈められ、略円筒形に形成される。フィルタ１６ａの一の実施形態には、網かご内に海水を供給する水流入口を取り囲む外枠を備える壁を構成するフィルタ又は網が設けられてよい。フィルタは、第１キャンバスに向けられ、かつ、第１キャンバスからある距離に位置するノズルを備える垂直洗浄ラインを含む内部の水で駆動して回転するブームを備えることによって自己洗浄可能である。またブームは主として、ブームの回転を制御するようなブームのシャフトの周りでの回転モーメントを生成する反応力を発生させるように構成される水平に駆動されるノズルを有してよい。
【００３０】
水流入ライン１６と水流出ライン３０は、各タンク３８の底部内の海水開口部３６又は船の船体内の適切な開口部を貫通して延びてよい。
【００３１】
図５は、端部にフィルタ３０ａを備えるラインとしての水流出ライン３０を示している。図６は、必要に応じてフィルタを備えることができる管としての水流出ラインを示している。
【００３２】
各養殖用網かご１０は最初に主として、標準的な養殖用網かごとして形成されてよい。たとえば網１２は下部に、パイプラインを介してポンプ６６に接続される死魚収集部を備えてよい。ポンプ６６は、廃棄物を収集タンクへ吸い上げる固定用カラー４８内に設けられる廃棄物ポンプ、又は、船５２の異なる位置に設けられるフィルタであってよい。
【００３３】
網１２と歩道１８は、固定用カラー４８の上方に位置する。歩道からの魚６０の移動が起こる。
【００３４】
さらに養殖用網かご１０は、下部つまりキャンバス１４の下部において、廃棄物分離部３２をも備えてよい。廃棄物分離部３２は、対応して廃棄物を収集し、かつ、パイプラインを介して船５２上の廃棄物用設備５８と接続する。これは、前述したものと同一の収集タンクであってよい。水流出ライン３０は廃棄物分離部３２に取り付けられてよい。廃棄物分離部３２が用いられない場合、水流出ライン３０は、キャンバス１４の下部錐体部に取り付けられる。
【００３５】
養殖用網かご１０は、孵化とスモルトから屠殺するのに十分成長した魚までの様々な成長段階で魚を養殖できる。専用酸素タンク、給餌タンク、及び洗浄設備が、各養殖用網かごに接続されてよい。前記洗浄設備は、各網かごに餌と酸素をそれぞれ供給し、かつ、網かご内の水から沈殿物／泥を濾過する。
【００３６】
歩道１８の下方又は固定用カラー４８上では、魚を吸い上げるラインが設けられ、給餌孔も設けられてよい。さらに各タンク３８又は養殖用網かご１０には給餌分配部２４が設けられてよい。
【００３７】
さらに船５２は、給餌用で主デッキ５６から充填されるサイロを備えてよい。
【００３８】
歩道１８は、養殖用網かご１０内の水面２８より上方に約１ｍの高さに示されている。
【００３９】
魚を捕獲するため、漁業用網が用いられてよい。あるいはその代わりに魚は別な場所に移されて吸い上げられてもよい。
【００４０】
歩道１８は取り外し可能な部分を備える。それによりポンプ上でのサービスと動作を実行することで、キャンバスの洗浄及び魚の供給時に網で固定することが可能となる。
【００４１】
各タンク３８内の歩道１８同士を接続する長手方向に延びるチャネル７０すなわち通路が、タンク３８間のタンク壁３８ａ内に供される。チャネル７０は好適には、歩道１８と同一の高さで船５２内のタンク壁３８ａ又は仕切りを貫通して延びる。船５２を介してタンク３８及び他の領域と接続するこのチャネル７０は閉じたチャネルを構成する。前記閉じたチャネルは、魚を効率的に誘導することを可能にし、かつ、魚と給餌ホースの移送に用いられてよい。漁業者は迅速な移動が可能で、網かご間で装置を効率的に移動させることができる。利点は、魚の移動と分類用のはるかに良好な後方支援や、良好な給餌後方支援が得られることである。またチャネル７０によって、各タンクにはしごを使う必要がなくなる。
【００４２】
船５２―使用されていると見なされる―は通常非常に大きいので、追加の作業プラットフォームデッキ（歩道等）が主デッキの下に構築できる。その結果、養殖用容器として可撓性キャンバスバッグを使用することが可能となる。
【図１】
2021524754.tif 000003
【図２】
2021524754.tif 000004
【図３】
2021524754.tif 000005
【図４】
2021524754.tif 000006
【図５】
2021524754.tif 000007
【図６】
2021524754.tif 000008
【図７】
2021524754.tif 000009
【図８】
2021524754.tif 000010
【国際調査報告】
2021524754.tif 000011
2021524754.tif 000012